(57)【要約】【課題】捕虫器において、簡便且つ安価な構成でありながら、殺虫剤を用いることなく安全に虫を捕獲回収することができるようにする。【解決手段】捕虫器１は、飛翔性を持つ虫２を誘引して捕獲するものであって、前後面が開放された筐体３と、筐体３内に虫２を誘引する誘引源である捕虫用の光源４と、水を貯留するタンク５と、タンク５内の水を沸騰させて蒸気を生成する加熱部６とを備える。また、捕虫器１は、加熱部６により生成された蒸気を虫２に噴霧する噴霧部７と、噴霧部７から噴霧された蒸気及び該蒸気を受けた虫２を回収する回収部８とを備える。光源４からの光に誘引された虫２に蒸気を噴霧し、虫２を殺虫又は弱らしてから捕獲回収することにより、大量の虫２を容易に捕獲する。【選択図】図２
2010124705.tif 000002
【特許請求の範囲】
【請求項１】
虫を誘引する誘引源を有し、虫を捕獲する捕虫器において、
水を沸騰させて蒸気を生成する加熱部と、
前記加熱部により生成された蒸気を、前記誘引源に誘引された虫に噴霧する噴霧部と、
前記噴霧部から噴霧された蒸気、及び該蒸気を受けた虫を回収する回収部とを備えることを特徴とする捕虫器。
【請求項２】
前記噴霧部から噴霧される蒸気には、酸化発熱性の高い金属微粒子が含有されることを特徴とする請求項１に記載の捕虫器。
【請求項３】
前記回収部に回収された水の温度を検知する温度センサを備え、
前記噴霧部は、前記温度センサによる検知温度が設定温度に達したときに、蒸気の噴霧動作を停止することを特徴する請求項２に記載の捕虫器。
【発明の詳細な説明】
【技術分野】
【０００１】
本発明は、誘引源に誘引された虫を捕獲する捕虫器に関する。
【背景技術】
【０００２】
従来から、この種の捕虫器として、誘引光を出射する誘引光源により虫を誘引し、誘引された虫を粘着シートにより吸着して捕獲するものが知られている。しかしながら、このような吸着捕獲方式の捕虫器では、虫の捕獲に伴って粘着シートの粘着部分が減少するために、粘着シートを新しいものに交換する必要があり、利便性に劣る。
【０００３】
また、上記捕虫器の他の形態として、天井面が開放された箱形状の捕獲容器に餌を充填し、ハエが餌に集まったときに、捕獲容器上方からバーナーで火炎を放射してハエを燃やす誘引装置が提案されている（特許文献１参照）。しかしながら、このような誘引装置では、捕獲容器を耐火性を有した部材で構成する必要があり、製造コストが高くなる。
【０００４】
また、床や畳等に生息するダニ等を駆除する病害虫駆除機において、マグネトロン等の発振器によって強力なマイクロ波を床面に向けて照射し、虫を殺虫するものがある（特許文献２参照）。しかしながら、このような病害虫駆除機では、マイクロ波が外部に漏れることがないように、発振器を金属性のフードで覆う必要があり、機器全体が大掛かりなものとなる。
【０００５】
また、薬液槽に入った殺虫溶液を超音波振動素子により微粒子化し、薬液槽の外部に噴霧する殺虫装置がある（特許文献３）。しかしながら、このような殺虫装置では、薬液槽の近辺に居る人が噴霧された殺虫液剤を吸い込む虞がある。
【特許文献１】特開２００３−１０２３５９号公報
【特許文献２】特開平１１−８９４９９号公報
【特許文献３】特許第３７２８３７９号公報
【発明の開示】
【発明が解決しようとする課題】
【０００６】
本発明は、上記問題を解決するためになされたものであり、簡便且つ安価な構成でありながら、殺虫剤を用いることなく安全に虫を捕獲回収することができる捕虫器を提供することを目的とする。
【課題を解決するための手段】
【０００７】
上記目的を達成するために請求項１の発明は、虫を誘引する誘引源を有し、虫を捕獲する捕虫器において、水を沸騰させて蒸気を生成する加熱部と、前記加熱部により生成された蒸気を、前記誘引源に誘引された虫に噴霧する噴霧部と、前記噴霧部から噴霧された蒸気、及び該蒸気を受けた虫を回収する回収部とを備えるものである。
【０００８】
請求項２の発明は、請求項１に記載の発明において、前記噴霧部から噴霧される蒸気には、酸化発熱性の高い金属微粒子が含有されるものである。
【０００９】
請求項３の発明は、請求項１又は請求項２に記載の発明において、前記回収部に回収された水の温度を検知する温度センサを備え、前記噴霧部は、前記温度センサによる検知温度が設定温度に達したときに、蒸気の噴霧動作を停止するものである。
【発明の効果】
【００１０】
請求項１の発明によれば、誘引源に誘引された虫に蒸気を噴霧して、虫を殺虫又は弱らしてから捕獲回収するので、大量の虫を容易に捕獲することができる。また、虫を捕獲するために殺虫剤を必要としないので、安全性が高く、さらに構造が簡単であるので、安価に製作できる。また、虫に電撃を与える電撃式の捕虫器と比較して、耳障りな電撃音等が発生することがなく、虫を静かに捕獲できる。
【００１１】
請求項２の発明によれば、金属微粒子と蒸気を受けた虫との発熱反応により、虫の温度を急速に上昇させることができるので、殺虫効果が高くなる。
【００１２】
請求項３の発明によれば、検知温度が設定温度に達したときに蒸気の噴霧動作を停止し、回収部に回収された水が上記発熱反応によって突騰するのを防止できるので、捕虫器の安全性を向上できる。
【発明を実施するための最良の形態】
【００１３】
（第１の実施形態）
本発明の第１の実施形態に係る捕虫器について図１及び図２を参照して説明する。図１、図２は本実施形態に係る捕虫器１の構成を示す。捕虫器１は、ハエや蚊等の飛翔性を持つ虫２を誘引し、これら虫２を捕獲するものであって、虫の多い屋外空間や、屋外空間に面した建物内の空間等に設置される。捕虫器１は、前後面が開放された筐体３と、筐体３内に虫２を誘引する誘引源である捕虫用の光源４と、水を貯留するタンク５と、タンク５内の水を沸騰させて蒸気を生成する加熱部６と、加熱部６により生成された蒸気を光源４に誘引された虫２に噴霧する噴霧部７とを備える。また、捕虫器１は、噴霧部７から噴霧された蒸気及び該蒸気を受けた虫２を回収する回収部８と、回収部８からタンク５に水を循環させるポンプ９と、回収部８に回収された水の温度を検知する温度センサ１０とを備える。
【００１４】
筐体３は、光源４及び回収部８を収容可能な箱形形状とされており、噴霧部７からの蒸気による腐食を防止するために、例えば、ＳＵＳ材やアルミ材、ガラス等を用いて形成される。腐食防止のための構成は上記に限られず、筐体３内面にメッキ処理が施されたものであってもよい。筐体３の前後面には、下方に向かって傾斜する斜板３１が隙間を隔てて複数配されており、これにより、光源４から出射される光が筐体３から出力され、併せて噴霧部７からの蒸気が捕虫器１外方に飛散することがない。
【００１５】
光源４は、紫外線を含有する光を出射する直管形状のランプであり、筐体３内の略中央に横向きして設けられている。光源４の出射光に含まれる紫外線は、虫の走光曲線又は視感度曲線に基づいて設定されたＵＶ−Ａ（波長が３１５〜３８０ｎｍ）であり、高い誘虫効果を有している。光源４の種類としては、例えば、蛍光ランプや冷陰極ランプ、水銀ランプ、キセノンランプ等が挙げられる。光源４は、筐体３の両側内壁に配されたソケット１１に取り付けられ、ソケット１１は、噴霧部７からの蒸気がかからないようにカバー１２に覆われている。また、ソケット１１は、蒸気がかからない構成であれば上記に限定されず、例えば、筐体３外部に設けられるものであってもよい。
【００１６】
タンク５は、筐体３の上側に設けられ、高い保温性を有している。タンク５内には、タンク水位を検知する水位センサ１３が設けられている。加熱部６は、タンク５内に設けられており、例えば、発熱線をセラミックスの中に埋め込んだセラミックスヒータで構成される。
【００１７】
噴霧部７は、タンク５に取り付けられており、吐出口を下向きとした複数のノズル７１と、空気圧によってノズル７１から蒸気を霧状に吐出させる吐出装置７２とで構成される。ノズル７１は上記のような構成に限られず、吐出口を横向きにして筐体３側部に設けられるものであってもよい。噴霧部７から噴霧される蒸気には、酸化発熱性の高い金属微粒子が含有されており、金属微粒子は吐出装置７２内において蒸気と混合される。金属微粒子としては、例えば、アルミニウム粉が挙げられる。噴霧部７からの蒸気を受けた虫２は、金属微粒子との発熱反応により死滅する可能性が高くなる。また、金属微粒子を虫２に付着し易くするために、水溶性の粘着剤がタンク５内の水に添加されていてもよい。
【００１８】
回収部８は、筐体３の下側に設けられ、上方が開口された箱型形状とされている。回収部８は、回収した虫２をユーザが廃棄できるように、筐体３に対して脱着自在とされている。回収部８についても、筐体３と同様に、耐食性ある部材を用いて形成される。
【００１９】
ポンプ９は、配管１４によりタンク５と接続され、配管１５により回収部８と接続されている。配管１５の回収部８側には、ポンプ９内への異物の侵入を防止するフィルタ１６が設けられている。ポンプ９は、水位センサ１３により検知されるタンク水位に応じて、回収部８内の水をタンク５に送り込む。
【００２０】
温度センサ１０は、上述した虫２と金属微粒子との発熱反応によって、回収部８に回収された水が突騰するのを防止するためのものである。温度センサ１０は、検知温度が設定温度（例えば、８０℃）に達したときに、噴霧部７に停止信号を送出し、蒸気の噴霧動作を停止させる。
【００２１】
上記のように構成された捕虫器１の作用について説明する。捕虫器１の電源が投入されると、光源４が点灯し、光源４からの光が捕虫器１外方に出力される。併せて、加熱部６がタンク５内の水の沸騰させて蒸気を生成し、噴霧部７が蒸気の噴霧動作を開始する。噴霧部７の噴霧動作に伴ってポンプ９が駆動し、タンク５に回収部８内の水が適宜送り込まれる。捕虫器１周辺に居る虫２は、光源４からの光により誘引され、筐体３内に侵入する。筐体３内に侵入した虫２は、噴霧部７からの蒸気を受けて下方に落下し、回収部８に回収される。回収部８に回収された水の温度は、温度センサ１０により検知され、検知温度が設定温度に達したときに、噴霧部７が噴霧動作を停止する。検知温度が設定温度を下回ると、噴霧部７が蒸気の噴霧動作を再び開始する。
【００２２】
以上、本実施形態に係る捕虫器１によれば、光源４からの光に誘引された虫２に蒸気を噴霧して、虫２を殺虫又は弱らしてから捕獲回収するので、大量の虫２を容易に捕獲することができる。また、虫２を捕獲するために殺虫剤を必要としないので、安全性が高く、さらに構造が簡単であるので、安価に製作できる。また、虫に電撃を与える電撃式の捕虫器と比較して、耳障りな電撃音等が発生することがなく、虫を静かに捕獲できる。
【００２３】
（第２の実施形態）
本発明の第２の実施形態に係る捕虫器について図３を参照して説明する。図３は本実施形態に係る捕虫器１の構成を示す。捕虫器１は、上述のポンプ９及び配管１４、１５に代えて、給水源からタンク５に水を送る給水管１７と、回収部８から水を排出する排水管１８とを備える。タンク５は、給水弁１９を介して給水管１７と接続されており、水位センサ１３によるタンク水位に応じて給水弁１９を開き、給水管１７からの給水を行う。回収部８は、フィルタ１６を介して排水管１８と接続されており、フィルタ１６により異物を除去された水を排水管１８より排出口へと排水する。
【００２４】
また、捕虫器１は、筐体３内に侵入した虫２を検知する虫検知部２０を備える。虫検知部２０は、赤外線センサで構成され、筐体３の前側及び後側に設けられている。虫検知部２０は、所定時間（例えば、０．５秒）以上、赤外線遮断が発生した場合に、虫の侵入ありと判断し、噴霧部７に噴霧動作を所定時間行うよう制御信号を送出する。虫検知部２０は上記のような構成に限られず、筐体３内に侵入する虫２をカウントし、虫２の数量が一定量を超えたときに、噴霧部７に上記制御信号を送出するようにしてもよい。また、筐体３前面及び後面をカメラにより撮像し、その画像データに基づき、筐体３内に侵入する虫２の数量をカウントするような構成であってもよい。その他の構成については、第１の実施形態と同様である。
【００２５】
上記のように構成された捕虫器１の作用について説明する。捕虫器１の電源が投入されると、光源４が点灯し、光源４からの光が捕虫器１外方に出力される。併せて、加熱部６がタンク５内の水の沸騰させて蒸気を生成する。捕虫器１周辺に居る虫２は、光源４からの光により誘引され、筐体３内に侵入する。このとき、虫検知部２０により虫２が検知され、噴霧部７が噴霧動作を所定時間行う。筐体３内に侵入した虫２は、噴霧部７からの蒸気を受けて下方に落下し、回収部８に回収される。噴霧部７の噴霧動作に伴って給水弁１９が開き、給水管１７からタンク５に水が送り込まれる。温度センサ１０により噴霧部７の噴霧動作が制御される点は、上述と同様である。
【００２６】
以上、本実施形態についても、第１の実施形態と同様の効果が得られる。また、タンク５に水を送り込むために、ポンプを用いる必要がなくなり、捕虫器１の構成を一層簡素化できる。また、虫２の侵入に応じて噴霧部７が噴霧操作を行うので、ランニングコストの低減を図れる。
【００２７】
なお、本発明は、上記各種実施形態の構成に限られず、発明の趣旨を変更しない範囲で種々の変形が可能である。例えば、上述の実施形態では誘引源として光源４を用いた例を示したが、これに限られず、誘虫効果のある匂い源や音源等を用いてもよい。匂い源としては、捕獲する虫の性フェロモンや集合フェロモン、虫の餌となる動植物抽出物、これらに類似する匂いを有するもの等が挙げられる。音源としては、虫の羽ばたき音のような超音波成分を含んだ音を発するものが挙げられる。また、ＣＯ２発生装置により虫を誘引するようにしてもよい。また、回収部８の周囲に冷却装置を設け、温度センサ１０による検知温度が設定温度に達したときに、冷却装置により回収部８内の水の温度を低下させるようにしてもよい。
【図面の簡単な説明】
【００２８】
【図１】本発明の第１の実施形態に係る捕虫器の一部破断斜視図。
【図２】上記捕虫器の側断面図。
【図３】本発明の第２の実施形態に係る捕虫器の側断面図。
【符号の説明】
【００２９】
１  捕虫器
２  虫
４  光源（誘引部）
６  加熱部
７  噴霧部
８  回収部
１０  温度センサ
【図１】
2010124705.tif 000003
【図２】
2010124705.tif 000004
【図３】
2010124705.tif 000005